(57)【要約】【課題】各制御所毎の重複した作業をなくし効率的な所定の停電操作を行うことができる停電操作時の操作票の自動作成システムを提供する。【解決手段】送電線を介して接続されているＣＣ及びＤＤ変電所の各電気機器を複数のＡ及びＢ制御所でそれぞれ管轄している場合のＣＣ乃至ＤＤ変電所の停電操作の操作票の自動作成システムであって、Ａ制御所で作成した操作票を通信手段を介して受信し、Ａ制御所のみの操作はタイトル３１だけを残してこのタイトル３１に対応する手順３２の内容を削除するとともに、Ａ及びＢ制御所が協調して行う必要がある操作の手順５２における各操作対象及び各内容を逆にしてＢ制御所の操作に自動変換する。【選択図】図３
2008165568.tif 000002
【特許請求の範囲】
【請求項１】
送電線を介して接続されている複数の変電所の各電気機器を複数の制御所でそれぞれ管轄している場合の各変電所の停電操作の操作票の自動作成システムであって、
自所が管轄する変電所の停電操作を表す操作票を、自所のみの操作であるが他所の操作と手順的にリンクさせておく必要のある操作、他所のみの操作であるが自所の操作と手順的にリンクさせておく必要のある操作及び自所と他所とが協調して行う必要がある操作に分類して各操作毎に各操作を表すタイトルを付する一方、自所のみの前記操作及び自所と他所とが協調して行う必要がある前記操作の具体的な内容である手順を各タイトルに続けてそれぞれ作成するとともに他所のみの操作であるが自所の操作と手順的にリンクさせておく必要のある前記操作は前記タイトルのみとして作成し、このようにして作成した前記操作票を他所に通信手段を介して伝送する一つの制御所と、
前記一つの制御所で作成した前記操作票を通信手段を介して受信し、前記自所のみの操作の前記タイトルだけを残してこのタイトルに対応する手順の内容を削除するとともに、前記自所と他所とが協調して行う必要がある操作の手順における各操作の内容を逆にして自所の操作に変換する変換手段を具備する他の制御所とを有することを特徴とする停電操作の操作票の自動作成システム。
【請求項２】
請求項１に記載する停電操作の操作票の自動作成システムにおいて、
前記他の制御所は、他所のみの操作であるが自所の操作と手順的にリンクさせておく必要のある操作として前記一つの制御所で、前記タイトルのみを作成しておいた前記タイトルに対応する操作の具体的な内容である手順を追加して自所での操作票を完成させる追加手段をさらに有することを特徴とする停電操作の操作票の自動作成システム。
【請求項３】
請求項１に記載する停電操作の操作票の自動作成システムにおいて、
自所と他所とが協調して行う必要がある前記操作の具体的な内容である前記手順のうち、操作の手順が他所との関係でリンクさせて定められるリンク操作と、自所乃至他所で並行して行うことができる並行操作とに分類して識別し得るようし、前記並行操作に関しては自所乃至他所での個別の操作を許容するとともに、その終了のみを相手方に伝送するように前記操作票を構成することを特徴とする停電操作の操作票の自動作成システム。
【発明の詳細な説明】
【技術分野】
【０００１】
本発明は停電操作時の操作票の自動作成システムに関し、特に複数の制御所に跨る各変電所の停電操作を行う場合に適用して有用なものである。
【背景技術】
【０００２】
変電所における各種電気機器の停電操作を行う場合には、事故を未然に防止するため、前記電気機器の操作手順を記載した操作票を作成して操作の打ち合わせ及び操作を行っている。ここで、操作票は前記電気機器が設置されている各変電所を統括する制御所毎に作成している。このため、操作対象となる電気機器が設置され、且つ同一送電線で接続されている複数の変電所が複数の制御所に跨る場合、各制御所毎に前記操作票を作成し、続いて当事者となる制御所同士で前記操作票に基づく打ち合わせを行い、各制御所における操作手順を承認した後、各制御所における操作を実施している。ここで各制御所毎に作成する操作票は、自所のみならず、連携すべき他所の操作手順も考慮しなければならない。
【０００３】
そこで、従来は重複した内容を含む打ち合わせのための操作票を各制御所でそれぞれ作成していた。すなわち、複数の制御所で内容的に重複する操作票を別々に作成していた。このため、複数の制御所に跨る停電操作が非効率的なものとなっていた。
【０００４】
なお、電力系統の監視対象の状況を取り込み、迅速に対応策を決定し得る監視制御システムとして特許文献１が存在する。
【０００５】
【特許文献１】特開２００６−０３７６９７号公報
【発明の開示】
【発明が解決しようとする課題】
【０００６】
本発明は、上記従来技術に鑑み、各制御所毎の重複した作業をなくし効率的な所定の停電操作を行うことができる停電操作時の操作票の自動作成システムを提供することを目的とする。
【課題を解決するための手段】
【０００７】
上記目的を達成するための本発明の第１の態様は、
送電線を介して接続されている複数の変電所の各電気機器を複数の制御所でそれぞれ管轄している場合の各変電所の停電操作の操作票の自動作成システムであって、
自所が管轄する変電所の停電操作を表す操作票を、自所のみの操作であるが他所の操作と手順的にリンクさせておく必要のある操作、他所のみの操作であるが自所の操作と手順的にリンクさせておく必要のある操作及び自所と他所とが協調して行う必要がある操作に分類して各操作毎に各操作を表すタイトルを付する一方、自所のみの前記操作及び自所と他所とが協調して行う必要がある前記操作の具体的な内容である手順を各タイトルに続けてそれぞれ作成するとともに他所のみの操作であるが自所の操作と手順的にリンクさせておく必要のある前記操作は前記タイトルのみとして作成し、このようにして作成した前記操作票を他所に通信手段を介して伝送する一つの制御所と、
前記一つの制御所で作成した前記操作票を通信手段を介して受信し、前記自所のみの操作の前記タイトルだけを残してこのタイトルに対応する手順の内容を削除するとともに、前記自所と他所とが協調して行う必要がある操作の手順における各操作の内容を逆にして自所の操作に変換する変換手段を具備する他の制御所とを有することを特徴とする停電操作の操作票の自動作成システムにある。
【０００８】
本発明の第２の態様は、
上記第１の態様に記載する停電操作の操作票の自動作成システムにおいて、
前記他の制御所は、他所のみの操作であるが自所の操作と手順的にリンクさせておく必要のある操作として前記一つの制御所で、前記タイトルのみを作成しておいた前記タイトルに対応する操作の具体的な内容である手順を追加して自所での操作票を完成させる追加手段をさらに有することを特徴とする停電操作の操作票の自動作成システムにある。
【０００９】
本発明の第３の態様は、
上記第１の態様に記載する停電操作の操作票の自動作成システムにおいて、
自所と他所とが協調して行う必要がある前記操作の具体的な内容である前記手順のうち、操作の手順が他所との関係でリンクさせて定められるリンク操作と、自所乃至他所で並行して行うことができる並行操作とに分類して識別し得るようし、前記並行操作に関しては自所乃至他所での個別の操作を許容するとともに、その終了のみを相手方に伝送するように前記操作票を構成することを特徴とする停電操作の操作票の自動作成システムにある。
【発明の効果】
【００１０】
本発明によれば、他所で作成した操作票の内容を自所の内容に自動的に変換することができるので、他所で作成した操作票に基づき自所の操作票も作成でき、従来、操作票の作成に自所と他所で重複して費やしていた労力を低減して操作票作成作業の合理化を図り得るばかりでなく、自所と他所の双方がリンクして操作することで、先行操作等の誤操作を未然に防止し得る。
【発明を実施するための最良の形態】
【００１１】
以下本発明の実施の形態を図面に基づき詳細に説明する。
図１は本発明の実施の形態を含む二つの制御所と制御対象との関係を概念的に示す説明図である。同図に示すように、Ａ制御所は、管轄分界線（図中に点線で示す）Ｌで区切られた図中左側の領域（図の場合にはＣＣ変電所）の制御を管轄するもので、Ｂ制御所は、管轄分界線Ｌで区切られた右側の領域（図の場合にはＤＤ変電所）の制御を管轄する。ここで、ＣＣ変電所及びＤＤ変電所は遮断器１０１，２０１を介して送電線ＰＬ１で接続されるとともに、遮断器１０２，２０２を介して送電線ＰＬ２で接続されている。本例は送電線ＰＬ１，ＰＬ２の間に管轄分界線Ｌが存在する場合である。
【００１２】
遮断器１０１，１０２を含むＣＣ変電所の変圧器等の各電気機器は、その停電操作を含め、Ａ制御所の操作制御部１０３を介して制御される。同様に、遮断器２０１，２０２を含むＤＤ変電所の変圧器等の各電気機器は、その停電操作を含め、Ｂ制御所の操作制御部２０３を介して制御される。
【００１３】
本形態に係る停電操作時の操作票の自動作成システム１００，２００は、Ａ制御所及びＢ制御所のそれぞれに配設してある。ここで、各自動作成システム１００，２００は入力装置１０，２０、出力装置１１，２１、表示装置１２，２２、送受信装置１３，２３、模擬操作部１４，２４、演算処理部１５,２５及び変換処理部１６，２６を有している。
【００１４】
かかる、自動作成システム１００，２００を用いる停電操作の操作票の作成方法を図２に示すフローチャートを追加して説明する。
【００１５】
１）  一方の制御所（本例ではＡ制御所）の操作票を作成する（ステップＳ１参照）。これは、入力装置１０を用いて操作員が行う。また、ここで作成する操作票の具体的内容については後で詳説する。
【００１６】
２）  Ａ制御所の電気機器の模擬操作を行う（ステップＳ２参照）。具体的には、模擬操作部１４を動作させ、ステップＳ１で作成した操作票に基づく操作を模擬して各操作の適否を検証する。
【００１７】
３）  ステップＳ２で「ＮＧ」となった場合、ステップＳ１に戻り操作票を訂正し、同様の模擬操作を繰り返す。ちなみに、「ＮＧ」は、ある操作をすることで予定外の停電が発生する場合や、予め定められた手順を踏襲していない場合等に発せられる。
【００１８】
４）  ステップＳ２で「ＯＫ」となった場合、当該自動作成システム１００を「承認待ち」のモードにする（ステップＳ３参照）。
【００１９】
５）  前記操作票を他方の制御所（本例ではＢ制御所）へ転送する（ステップＳ４参照）。これは、例えばＤＸ（Ｄａｔａ  Ｅｘｃｈｅｎｇｅｒ）等を用い送受信装置１３，２３を介して行う。
【００２０】
６）  Ｂ制御所の変換処理部２６で、前記操作票の所定の変換処理を行う（ステップＳ５参照）。これは転送されてきたＡ制御所の操作票の各操作内容を自所（Ｂ制御所）の操作内容に変換する処理であるが、当該処理の詳細な内容は、変換処理後の具体的な操作票とともに後に詳説する。
【００２１】
７）  変換後の操作票の手順を確認する（ステップＳ６参照）。具体的には、変換後の操作票の内容を出力装置２１乃至表示装置２２で可視化することにより操作員が確認する。この作業は、勿論自動化することもできる。
【００２２】
８）  ステップＳ６で「ＮＧ」となった場合、Ａ制御所に「ＮＧ」の操作が含まれていることを通知する（ステップＳ７参照）。この通知は送受信装置２３,１３を介して行う。
【００２３】
この結果、ステップ１に戻り操作票を訂正し、同様の模擬操作を繰り返す。
９）  ステップＳ６で「ＯＫ」となった場合、Ａ制御所にその操作票を承認する旨の通知をする。この通知も送受信装置２３,１３を介して行う。
【００２４】
Ａ制御所では、「承認待ち」のモード（ステップＳ１２参照）から所定の承認処理を行って（ステップＳ８参照）、実際の操作までの「操作待ち」モードとする（ステップＳ９参照）。
【００２５】
１０）  ステップＳ６で「ＯＫ」となった場合、同時に、Ｂ制御所の単独操作分の操作を変換後の操作票に追加する（ステップＳ１０参照）。Ａ制御所で作成した操作票ではＢ制御所に固有の操作は記載されていないからである。この追加処理の詳細な内容は、追加処理後の具体的な操作票とともに後に詳説する。
【００２６】
かかる追加作業は入力装置２０を用いて操作員が行う。この追加作業によりＢ制御所における操作票が一応完成する。
【００２７】
１１）  Ｂ制御所の電気機器の模擬操作を行う（ステップＳ１１参照）。これはステップ２と同様の操作であり、模擬操作部２４によりステップＳ１０で追加・完成させた操作票に基づく操作を模擬して各操作の適否を検証する。
【００２８】
この結果、「ＮＧ」となった場合には、ステップ１０に戻り操作票を訂正し、同様の模擬操作を繰り返す。
【００２９】
１２）  ステップＳ１１で「ＯＫ」となった場合には、当該自動作成システムを「承認待ち」のモードにし（ステップＳ３参照）、その後所定の承認処理を行って（ステップＳ１３参照）、実際の操作までの「操作待ち」モードとする（ステップＳ１４参照）。
【００３０】
１３）  Ａ制御所及びＢ制御所の両方が「操作待ち」モードとなった後、  各操作票に基づき操作制御部１０３，２０３を介してＣＣ変電所及びＤＤ変電所の各電気機器を指定された順序で操作して所定の停電操作を行う（ステップＳ１５参照）。
【００３１】
図３は操作票の具体例を示す説明図で、（ａ）がＡ制御所で作成した操作票（ステップ１参照）、（ｂ）がＢ制御所で変換された操作票（ステップＳ５参照）、（ｃ）がＢ制御所で追加処理を行って完成させたＢ制御所用の操作票（ステップＳ１０参照）である。同図に基づき操作票の作成、変換、追加の処理を具体的に説明する。
【００３２】
図３（ａ）に示すように、操作票には操作内容を表わすタイトル３１，４１，５１が時系列に記載してある。ここで、タイトル３１は、「ＣＣ変電所の変圧器の停電操作」に関するものであることを表わしている。これはＡ制御所における単独操作であるので、その旨の情報（Ａ制御所単独操作）も記載しておく。ＣＣ変電所の変圧器の停電操作に関する具体的な手順３２はタイトル３１に続けてその下方に記載されている。
【００３３】
タイトル４１は、「ＤＤ変圧器の停電操作」に関するものであること及びこの操作がＢ制御所における単独操作であることを表わしている。これは、自所（この場合はＡ制御所）とは関係のない他所（この場合はＢ制御所）の操作ではあるが、この操作をＢ制御所で終了しない限り次の操作に進めないので、タイトル４１のみを記載し、自所が権限のない操作となる具体的な手順は記載されていない。なお、他所での操作ではあるが、この操作を他所で終了しない限り次に進めない操作のことを、以下「手順的にリンクの必要がある操作」という。
【００３４】
タイトル５１は、「ＣＣＤＤ線停電操作」に関するものであることを表わしている。これは、送電線ＰＬ１，ＰＬ２の停電操作である。この操作はＡ制御所とＢ制御所との両方に関連するので、その旨の情報（ＡＢ制御所間操作）も記載しておく。ＣＣＤＤ線停電操作に関する具体的な手順５２はタイトル５１に続けてその下方に記載されている。ここで、手順５２のうち遮断器２０１及び遮断器１０１の遮断はＡＢ制御所での操作をリンクさせてこの順序で行う必要があるが、（並行操作）乃至（並行ｅｎｄ）の各操作は相手側制御所の操作の完了を待つことなく並行した独立の操作として行うことができる。この結果、先に所定の処理が終了した場合には、相手方が「並行ｅｎｄ」になるまで待機していれば良い。
【００３５】
図３（ａ）に示す操作票は、Ｂ制御所に伝送された後、図３（ｂ）に示すように変換される。すなわち、図３（ｂ）に示すように、タイトル３１の操作は他所（この場合はＡ制御所）の単独操作であるが、手順的にリンクの必要がある操作であるので、タイトル３１のみを残し、手順３２は削除する。
【００３６】
次の、タイトル４１の操作は自所（この場合はＢ制御所）の操作であるので、後に説明する図３（ｃ）の「追加」の処理で必要な手順４２を記載する。
【００３７】
タイトル５１は、「ＣＣＤＤ線停電操作」に関するものであるので、各操作内容の必要な変換を行う。すなわち、Ａ制御所側から見た操作票の内容をＢ制御所側から見たものに変換する。具体的には、他所の操作であることを表わす（他所制御）を自所の操作であることを表わす（制御）に変換する。
【００３８】
このようにしてＢ制御所用に変換された操作票は、図３（ｃ）に示すように、Ｂ制御所に固有の操作を追加することで完成される。具体的には、図３（ｃ）に示すように、自所に固有の操作であるタイトル４１の操作の具体的な手順４２を追加する。かくしてＡ制御所側で作成した操作票と対となるＢ制御所の操作票が作成される。
【００３９】
図４は、図３（ｂ）に示す操作票を得るべく、Ｂ制御所で行う変換処理の手順を示すフローチャートである。同図に基づき操作票の変換処理を説明する。
【００４０】
１）  変換処理を開始する（ステップＳ２１参照）。
【００４１】
２）  タイトルを判別する（ステップＳ２２参照）。具体的には操作票の、例えばタイトル３１の内容を判定して手順的にリンクの必要がある操作であるか否かを判定する。タイトル３１は「手順的にリンクの必要がある操作」であるので、判定結果は「要」となる。
【００４２】
３）  ステップＳ２２の判定結果が「要」であった場合、その中に自所手順が有るか否かを判定する（ステップＳ２３参照）。タイトル３１の内容はＡ制御所の単独操作であるので、判定結果は「無」となる。
【００４３】
４）  ステップＳ２３の判定結果が「無」であった場合には、自所の操作ではないので「リンクタイトルとして貼付け」を行う（ステップＳ２４参照）。ここで、「リンクタイトル」とは、自所操作はないが手順的にリンクの必要がある操作を表わすタイトル、例えばＢ操作所におけるタイトル３１をいう。ちなみに、本例の場合ＣＣ変電所が電源側（発電所側）にあるので、ＤＤ変電所の停電操作に先立ち停電操作を完了させておく必要がある。また、「リンクタイトルの貼付け」とは、タイトル３１のみを残し、その手順３２を削除する処理をいう。この手順３２の処理は専らＡ制御所が管轄する機器に関するものであり、Ｂ制御所は関係ない。
【００４４】
５）  ステップＳ２３の判定結果が「有」であった場合、ポジション貼付けを開始する（ステップＳ２５参照）。ここで、「ポジション」とは、各手順、例えば手順５２における具体的な操作に関する情報であり、自所で行う操作であるか、他所で行う操作であるかを示す情報も含んでいる。
【００４５】
６）  ステップＳ２５で貼付けたポジションが自所操作であるか否かを判定する（ステップＳ２６参照）。すなわち、操作票の手順５２に記載する各操作を何れの制御所で行うか判断する。この判断は、他所（この場合はＡ制御所）で作成した操作票に基づき行う。したがって、自所操作に関する操作であることを表わす表示である（制御）と、他所操作に関する操作であることを表わす表示である（他所制御）という表示が逆になる。そこで、（制御）の表示があるものは他所操作、（他所制御）の表示があるものは自所操作であると判断する。
【００４６】
７）  ステップＳ２６の判定の結果、自所操作でない場合は、他所操作であるので、被制御ポジションへ貼付けを行う（ステップＳ２７参照）。すなわち、被制御ポジションの表示を（他所制御）とする。かくして、Ａ制御所で作成した操作票で（制御）だったものが，Ｂ制御所の操作票では（他所制御）に変換される。
【００４７】
８）  ステップＳ２６の判定の結果、自所操作である場合は、制御ポジションへ貼付けを行う（ステップＳ２８参照）。すなわち、制御ポジションの表示を（制御）とする。かくして、Ａ制御所で作成した操作票で（他所制御）だったものが，Ｂ制御所の操作票では（制御）に変換される。
【００４８】
なお、ステップ２７、２８の処理は他所（この場合はＡ制御所）のデータベース変換用データベース３００のデータを参照して行う。このデータベース変換用データベース３００は他所（この場合はＡ制御所）から伝送されたデータを自所ポジションへ変更するためのデータを格納するものである。
【００４９】
９）  ステップＳ２７乃至ステップＳ２８の処理が終了した後、手順、例えば手順５２の終了した操作の次の操作があるか否かを判定する（ステップＳ２９参照）。この結果、次の操作がある場合にはステップＳ２６の処理に戻り、次の操作がなくなるまで同様の処理を繰り返す。
【００５０】
１０）  ステップＳ２９の判定で次の手順、例えば手順５２における次の操作がなくなった場合に、次のタイトルがあるか否かを判定する（ステップＳ３０参照）。この結果、次のタイトルがある場合にはステップＳ２２の処理に戻り、次のタイトルがなくなるまで同様の処理を繰り返す。
【００５１】
ステップＳ３０の判定は、ステップＳ２２の判定結果が「否」であった場合、及びステップＳ２４の処理が終了した場合にも同様に行う。ここで、ステップＳ２２の判定結果が「否」であった場合とは、手順リンクの必要がない場合、例えば自所（この場合はＢ制御所）操作を表わすタイトル４１であった場合である。
【００５２】
１１）  ステップＳ３０の判定で次のタイトルがなくなった場合に変換を完了する（ステップＳ３１参照）。
【００５３】
上述の如き手順で操作票を作成するが、Ａ制御所における停電操作は、図３（ａ）示す操作票に基づき、図１に示す操作制御部１０３を介して遮断器１０１，１０２及びＣＣ変電所の各電気機器を制御することにより行うとともに、Ｂ制御所における停電操作は、図３（ｃ）示す操作票に基づき、図１に示す操作制御部２０３を介して遮断器２０１，２０２及びＤＤ変電所の各電気機器を制御することにより行う。ここで、タイトル３１の全操作が終了時点でこの終了を表わす情報がＡ制御所からＢ制御所へ送受信装置１３を介して伝送される。送受信装置２３を介して前記終了情報を受信したＢ制御所では、その後タイトル４１の各操作を行い、全操作が終了時点でこの終了を表わす情報をＢ制御所からＡ制御所へ送受信装置２３を介して伝送する。
【００５４】
タイトル５２の操作はＡＢ制御所間の操作であるので、その手順５２に記載された操作のうち手順的に双方でリンクの必要があるものについては、双方での操作の終了を確認しながら所定の順序で操作を行う。すなわち、本形態の場合は、遮断器２０１の遮断操作及びこれに続く遮断器１０１の操作を行い、各操作が終了した後（並行操作）に記載された操作を行う。ここで、（並行操作）乃至（並行ｅｎｄ）までの各操作は相手方の操作の完了を待たずに並行して操作できる。かくして、操作票に記載された順序で、双方が必要な情報を交換しつつＣＣ変電所及びＤＤ変電所の各電気機器の停電操作を行う。
【００５５】
なお、上記実施の形態は２つの制御所に跨る場合について説明したが、２つ以上であっても勿論かまわない。２つの制御所の場合に行った処理と同様の処理を他の制御所との間で必要回数、順次繰り返せば良い。
【産業上の利用可能性】
【００５６】
本発明は電力設備の保守・点検を行う産業分野で利用することができる。
【図面の簡単な説明】
【００５７】
【図１】本発明の実施の形態を含む二つの制御所と制御対象との関係を概念的に示す説明図である。
【図２】本発明の実施の形態に係る操作票の自動作成システムの処理手順を示すフローチャートである。
【図３】操作票の具体例を示す説明図で、（ａ）がＡ制御所で作成した操作票、（ｂ）がＢ制御所で変換された操作票、（ｃ）がＢ制御所で追加処理を行って完成させた操作票である。
【図４】変換処理の手順を示すフローチャートである。
【符号の説明】
【００５８】
１３，２３                送受信装置
１４，２４                模擬操作部
１５，２５                演算処理部
１６，２６                変換処理部
１００，２００      自動作成システム
１０１，１０２，２０１，２０２            遮断器
Ｌ                    管轄分界線
【図１】
2008165568.tif 000003
【図２】
2008165568.tif 000004
【図３】
2008165568.tif 000005
【図４】
2008165568.tif 000006